【手続補正書】
【提出日】平成27年6月22日(2015.6.22)
【手続補正１】
【補正対象書類名】明細書
【補正対象項目名】００１２
【補正方法】変更
【補正の内容】
【００１２】
そのために本発明では、記録媒体を挟持しながら搬送方向に搬送するための搬送ローラ対と、前記搬送ローラ対よりも前記搬送方向における下流側に設けられたインクを吐出するための記録ヘッドと、前記記録ヘッドからのインクの吐出を伴って、前記記録ヘッドを記録媒体に対して前記搬送方向と交差する走査方向に複数回走査させる走査手段と、前記走査手段による走査と走査の間に少なくとも前記搬送ローラ対を用いて前記記録媒体を前記搬送方向に搬送する搬送手段と、前記記録媒体が前記搬送ローラ対による挟持状態から抜けるタイミングの直前に行われる第１の走査と、当該タイミングの直後に行われる第２の走査と、の間であって、前記搬送手段による搬送が行われる前に、前記記録ヘッドを前記記録媒体と対向しない位置に移動させるように制御する第１の制御手段と、前記複数回の走査のうちの前記第１の走査よりも前に行われる第３の走査と、前記第１の走査と、の間に行われる走査間のうちの少なくとも１つの走査間において、前記第１の制御手段による前記第１の走査と前記第２の走査の間の移動時間よりも短い時間だけ前記走査手段による走査を待機させるように制御する第２の制御手段と、を有することを特徴とする。
【手続補正２】
【補正対象書類名】特許請求の範囲
【補正対象項目名】全文
【補正方法】変更
【補正の内容】
【特許請求の範囲】
【請求項１】
記録媒体を挟持しながら搬送方向に搬送するための搬送ローラ対と、
前記搬送ローラ対よりも前記搬送方向における下流側に設けられたインクを吐出するための記録ヘッドと、
前記記録ヘッドからのインクの吐出を伴って、前記記録ヘッドを記録媒体に対して前記搬送方向と交差する走査方向に複数回走査させる走査手段と、
前記走査手段による走査と走査の間に少なくとも前記搬送ローラ対を用いて前記記録媒体を前記搬送方向に搬送する搬送手段と、
前記記録媒体が前記搬送ローラ対による挟持状態から抜けるタイミングの直前に行われる第１の走査と、当該タイミングの直後に行われる第２の走査と、の間であって、前記搬送手段による搬送が行われる前に、前記記録ヘッドを前記記録媒体と対向しない位置に移動させるように制御する第１の制御手段と、
前記複数回の走査のうちの前記第１の走査よりも前に行われる第３の走査と、前記第１の走査と、の間に行われる走査間のうちの少なくとも１つの走査間において、前記第１の制御手段による前記第１の走査と前記第２の走査の間の移動時間よりも短い時間だけ前記走査手段による走査を待機させるように制御する第２の制御手段と、を有することを特徴とするインクジェット記録装置。
【請求項２】
前記第２の制御手段は、前記第３の走査と前記第１の走査との間に行われる走査間のそれぞれにおいて、前記第１の制御手段による前記第１の走査と前記第２の走査の間の移動時間よりも短い時間だけ前記走査手段による走査を待機させるように制御することを特徴とする請求項１に記載のインクジェット記録装置。
【請求項３】
前記第２の制御手段は、前記第３の走査と前記第１の走査との間に行われる走査間のそれぞれにおいて、後に行われる走査間における待機時間ほど長くなるように、前記走査手段による走査を待機させるように制御することを特徴とする請求項２に記載のインクジェット記録装置。
【請求項４】
前記走査手段は、前記記録ヘッドを前記走査方向に沿って往方向および復方向へ走査させ、
前記第１の制御手段による前記記録ヘッドの移動の制御によって、前記第１の走査が前記往方向への走査である場合には前記第１の走査と前記第２の走査の間の移動時間が第１の時間となり、且つ、前記第１の走査が前記復方向への走査である場合には前記第１の走査と前記第２の走査の間の移動時間が前記第１の時間よりも短い第２の時間となり、
前記第２の制御手段は、（ｉ）前記第１の走査が前記往方向への走査である場合、前記第３の走査と前記第１の走査の間に行われる走査間のそれぞれにおいて、前記第１の時間よりも短い時間だけ前記走査手段による走査を待機させ、（ｉｉ）前記第１の走査が前記復方向への走査である場合、前記第３の走査と前記第１の走査の間に行われる走査間のそれぞれにおいて、前記第２の時間よりも短い時間だけ前記走査手段による走査を待機させるように制御することを特徴とする請求項１から３のいずれか１項に記載のインクジェット記録装置。
【請求項５】
前記搬送ローラ対よりも前記搬送方向における上流側に設けられ、前記記録媒体の前記搬送方向における後端を検出する第１の検出手段を更に有し、
前記第２の制御手段は、前記第１の検出手段によって前記記録ヘッドの後端が検出されたタイミングの直後に行われる走査を前記第３の走査として、前記走査手段による走査を待機させるように制御することを特徴とする請求項１から４のいずれか１項に記載のインクジェット記録装置。
【請求項６】
前記記録媒体の幅を検出するための第２の検出手段を更に有し、
前記第１の制御手段は、（ｉ）前記第２の検出手段によって検出された前記記録媒体の幅が所定の幅よりも短い場合、前記記録ヘッドの移動を行わず、（ｉｉ）前記第２の検出手段によって検出された前記記録媒体の幅が前記所定の幅よりも長い場合、前記第１の走査と前記第２の走査の間に前記記録ヘッドを前記記録媒体と対向しない位置に移動させるように制御することを特徴とする請求項１から５のいずれか１項に記載のインクジェット記録装置。
【請求項７】
前記第２の制御手段は、前記第２の走査以降に行われる走査間のそれぞれにおいて、前記第１の制御手段による前記第１の走査と前記第２の走査の間の移動時間と同じ時間だけ前記走査手段による走査を待機させるように制御することを特徴とする請求項１から６のいずれか１項に記載のインクジェット記録装置。
【請求項８】
記録媒体を挟持しながら搬送方向に搬送するための搬送ローラ対と、
前記搬送ローラ対よりも前記搬送方向における下流側に設けられたインクを吐出するための記録ヘッドと、
前記記録ヘッドからのインクの吐出を伴って、前記記録ヘッドを記録媒体に対して前記搬送方向と交差する走査方向に沿って往方向および復方向へ複数回走査させる走査手段と、
前記走査手段による走査と走査の間に少なくとも前記搬送ローラ対を用いて前記記録媒体を前記搬送方向に搬送する搬送手段と、
前記記録媒体が前記搬送ローラ対による挟持状態から抜けるタイミングの直前に行われる第１の走査と、当該タイミングの直後に行われる第２の走査と、の間であって、前記搬送手段による搬送が行われる前に、前記記録ヘッドを前記記録媒体と対向しない位置に移動させるように制御する第１の制御手段と、
前記複数回の走査のうちの前記第１の走査よりも前に行われる第３の走査と、前記第１の走査と、の間に行われる走査間のそれぞれにおいて、前記走査手段による走査を待機させるように制御する第２の制御手段と、を有するインクジェット記録装置であって、
前記第１の制御手段による前記記録ヘッドの移動の制御によって、前記第１の走査が前記往方向への走査である場合には前記第１の走査と前記第２の走査の間の移動時間が第１の時間となり、且つ、前記第１の走査が前記復方向への走査である場合には前記第１の走査と前記第２の走査の間の移動時間が前記第１の時間よりも短い第２の時間となり、
前記第２の制御手段は、前記第３の走査と前記第１の走査の間に行われる走査間のそれぞれにおいて、前記第１、第２の時間の平均時間以下の時間だけ前記走査手段による走査を待機させるように制御することを特徴とするインクジェット記録装置。
【請求項９】
前記第２の制御手段は、前記第３の走査と前記第１の走査との間に行われる走査間のそれぞれにおいて、後に行われる走査間における待機時間ほど長くなるように、前記走査手段による走査を待機させるように制御することを特徴とする請求項８に記載のインクジェット記録装置。
【請求項１０】
前記搬送ローラ対よりも前記搬送方向における上流側に設けられ、前記記録媒体の前記搬送方向における後端を検出する第１の検出手段を更に有し、
前記第２の制御手段は、前記第１の検出手段によって前記記録ヘッドの後端が検出されたタイミングの直後に行われる走査を前記第３の走査として、前記走査手段による走査を待機させるように制御することを特徴とする請求項８または９に記載のインクジェット記録装置。
【請求項１１】
前記記録ヘッドの温度を検出するための第３の検出手段を更に有し、
前記第２の制御手段は、前記複数回の走査のうちの前記第３の走査よりも前に行われる走査間のそれぞれにおいて、（ｉ）前記第３の検出手段によって検出された温度が所定の温度よりも低い場合、前記走査手段による走査の待機を行わず、（ｉｉ）前記第３の検出手段によって検出された温度が前記所定の温度よりも高い場合、所定の時間だけ前記走査手段による走査を待機させるように制御することを特徴とする請求項８から１０のいずれか１項に記載のインクジェット記録装置。
【請求項１２】
前記第２の制御手段は、前記第３の走査と前記第１の走査の間に行われる走査間のそれぞれにおいて、（ｉ）前記第３の検出手段によって検出された温度が前記所定の温度よりも低い場合、前記第１、第２の時間の平均時間以下の時間だけ前記走査手段による走査を待機させ、（ｉｉ）前記第３の検出手段によって検出された温度が前記所定の温度よりも高く、且つ、前記第１、第２の時間の平均時間が前記所定の時間よりも短い場合、前記所定の時間だけ前記走査手段による走査を待機させ、（ｉｉｉ）前記第３の検出手段によって検出された温度が前記所定の温度よりも高く、且つ、前記第１、第２の時間の平均時間よりも長い場合、前記第１、第２の時間の平均時間だけ前記走査手段による走査を待機させるように制御することを特徴とする請求項１１に記載のインクジェット記録装置。
【請求項１３】
記録媒体を挟持しながら搬送方向に搬送するための搬送ローラ対と、前記搬送ローラ対よりも前記搬送方向における下流側に設けられたインクを吐出するための記録ヘッドと、前記記録ヘッドからのインクの吐出を伴って、前記記録ヘッドを記録媒体に対して前記搬送方向と交差する走査方向に複数回走査させる走査手段と、前記走査手段による走査と走査の間に少なくとも前記搬送ローラ対を用いて前記記録媒体を前記搬送方向に搬送する搬送手段と、を有するインクジェット記録装置の記録方法であって、
前記記録媒体が前記搬送ローラ対による挟持状態から抜けるタイミングの直前に行われる第１の走査と、当該タイミングの直後に行われる第２の走査と、の間であって、前記搬送手段による搬送が行われる前に、前記記録ヘッドを前記記録媒体と対向しない位置に移動させるように制御する第１の制御工程と、
前記複数回の走査のうちの前記第１の走査よりも前に行われる第３の走査と、前記第１の走査と、の間に行われる走査間のうちの少なくとも１つの走査間において、前記第１の制御工程における前記第１の走査と前記第２の走査の間の移動時間よりも短い時間だけ前記走査手段による走査を待機させるように制御する第２の制御工程と、を含むことを特徴とする記録方法。
【請求項１４】
記録媒体を挟持しながら搬送方向に搬送するための搬送ローラ対と、前記搬送ローラ対よりも前記搬送方向における下流側に設けられたインクを吐出するための記録ヘッドと、前記記録ヘッドからのインクの吐出を伴って、前記記録ヘッドを記録媒体に対して前記搬送方向と交差する走査方向に沿って往方向および復方向へ複数回走査させる走査手段と、前記走査手段による走査と走査の間に少なくとも前記搬送ローラ対を用いて前記記録媒体を前記搬送方向に搬送する搬送手段と、を有するインクジェット記録装置の記録方法であって、
前記記録媒体が前記搬送ローラ対による挟持状態から抜けるタイミングの直前に行われる第１の走査と、当該タイミングの直後に行われる第２の走査と、の間であって、前記搬送手段による搬送が行われる前に、前記記録ヘッドを前記記録媒体と対向しない位置に移動させるように制御する第１の制御工程と、
前記複数回の走査のうちの前記第１の走査よりも前に行われる第３の走査と、前記第１の走査と、の間に行われる走査間のそれぞれにおいて、前記走査手段による走査を待機させるように制御する第２の制御工程と、
を含み、
前記第１の制御工程における前記記録ヘッドの移動の制御によって、前記第１の走査が前記往方向への走査である場合には前記第１の走査と前記第２の走査の間の移動時間が第１の時間となり、且つ、前記第１の走査が前記復方向への走査である場合には前記第１の走査と前記第２の走査の間の移動時間が前記第１の時間よりも短い第２の時間となり、
前記第２の制御工程において、前記走査手段は、前記第３の走査と前記第１の走査の間に行われる走査間のそれぞれにおいて、前記第１、第２の時間の平均時間以下の時間だけ走査を待機するように制御されることを特徴とする記録方法。